(57)【特許請求の範囲】
【請求項１】
鋼管サポートユニット（１０１）、前記鋼管サポートユニット（１０１）内に設けられるサポート内部コア（１０２）、前記鋼管サポートユニット（１０１）上に設けられて且つ前記鋼管サポートユニット（１０１）の長さ方向に沿って配列する多数の鋼管収容凹溝（３）及び隣接する二つの前記鋼管収容凹溝（３）の間に設けられる間隔ユニット（４）を備える、鋼管サポートフレームであって、
前記鋼管収容凹溝（３）内に前記鋼管収容凹溝（３）の中心断面の一側に位置する少なくとも二つの第一サポートリブ板（５）及び／又は前記鋼管収容凹溝（３）の中心断面の他側に位置する少なくとも二つの第二サポートリブ板（６）が設けられ、隣接する二つの前記第一サポートリブ板（５）の間に第一凹陥部（７）が設けられ、隣接する二つの前記第二サポートリブ板（６）の間に第二凹陥部（８）が設けられ、
前記第一サポートリブ板（５）と前記第二サポートリブ板（６）は前記鋼管収容凹溝（３）の中心断面の両側に対称又は千鳥状に設けられ、
前記間隔ユニット（４）頂面上に垂直開口部（１４）が設けられ、前記垂直開口部（１４）は２〜５個あり、隣接する二つの前記垂直開口部（１４）の間に仕切り壁（２０）があり、前記仕切り壁（２０）の位置は前記第一サポートリブ板（５）、前記第二サポートリブ板（６）の位置と対応する、
ことを特徴とする鋼管サポートフレーム。
【請求項２】
前記第一サポートリブ板（５）、前記第二サポートリブ板（６）の鋼管と接触する表面は円弧面である、
ことを特徴とする請求項１に記載の鋼管サポートフレーム。
【請求項３】
隣接する二つの前記第一サポートリブ板（５）及び／又は隣接する二つの前記第二サポートリブ板（６）の間に補強リブ板（１３）が設けられ、前記補強リブ板（１３）は１〜５個ある、
ことを特徴とする請求項１に記載の鋼管サポートフレーム。
【請求項４】
前記補強リブ板（１３）と前記第一凹陥部（７）の底面、前記第二凹陥部（８）の底面との間に連通口（１８）を備え、前記連通口（１８）は前記補強リブ板（１３）上に設けられて且つその底面と連通する開口部又は前記補強リブ板（１３）と前記第一凹陥部（７）の底面、前記第二凹陥部（８）の底面との間の間隙である、
ことを特徴とする請求項３に記載の鋼管サポートフレーム。
【請求項５】
鋼管サポートユニット（１０１）、前記鋼管サポートユニット（１０１）内に設けられるサポート内部コア（１０２）、前記鋼管サポートユニット（１０１）上に設けられて且つ前記鋼管サポートユニット（１０１）の長さ方向に沿って配列する多数の鋼管収容凹溝（３）及び隣接する二つの前記鋼管収容凹溝（３）の間に設けられる間隔ユニット（４）を備える、鋼管サポートフレームであって、
前記鋼管収容凹溝（３）内に前記鋼管収容凹溝（３）の中心断面の一側に位置する少なくとも二つの第一サポートリブ板（５）及び／又は前記鋼管収容凹溝（３）の中心断面の他側に位置する少なくとも二つの第二サポートリブ板（６）が設けられ、隣接する二つの前記第一サポートリブ板（５）の間に第一凹陥部（７）が設けられ、隣接する二つの前記第二サポートリブ板（６）の間に第二凹陥部（８）が設けられ、
隣接する二つの前記第一サポートリブ板（５）及び／又は隣接する二つの前記第二サポートリブ板（６）の間に補強リブ板（１３）が設けられ、前記補強リブ板（１３）は１〜５個あり、
前記補強リブ板（１３）と前記第一凹陥部（７）の底面、前記第二凹陥部（８）の底面との間に連通口（１８）を備え、前記連通口（１８）は前記補強リブ板（１３）上に設けられて且つその底面と連通する開口部又は前記補強リブ板（１３）と前記第一凹陥部（７）の底面、前記第二凹陥部（８）の底面との間の間隙である、
ことを特徴とする鋼管サポートフレーム。
【請求項６】
前記第一サポートリブ板（５）及び／又は前記第二サポートリブ板（６）に多数の凸起リブ板（１６）が設けられ、前記凸起リブ板（１６）の横断面は長方形又は等脚台形又はアーク形状である、
ことを特徴とする請求項１〜５のいずれか１項に記載の鋼管サポートフレーム。
【請求項７】
前記第一サポートリブ板（５）の前記第二サポートリブ板（６）に接近する端部に前記鋼管収容凹溝（３）の底面と交差する第一段差面（９）が設けられ、前記第二サポートリブ板（６）の前記第一サポートリブ板（５）に接近する端部に前記鋼管収容凹溝（３）の底面と交差する第二段差面（１０）が設けられる、
ことを特徴とする請求項１〜５のいずれか１項に記載の鋼管サポートフレーム。
【請求項８】
前記鋼管収容凹溝（３）の底面に少なくとも一つの軸方向貫通の凹溝（１５）が設けられる、
ことを特徴とする請求項１〜５のいずれか１項に記載の鋼管サポートフレーム。
【請求項９】
前記鋼管サポートフレームは遷移インサート（１７）をさらに備え、前記遷移インサート（１７）はインサート（１７０１）、前記インサート（１７０１）上に設けられる円弧溝（１７０２）、前記インサート（１７０１）上に設けられる前記第一凹陥部（７）、前記第二凹陥部（８）と嵌め合う第一ストッパー（１７０３）、第二ストッパー（１７０４）及び前記インサート（１７０１）の端部に設けられて前記間隔ユニット（４）と接触する端部押え板（１７０５）を備える、
ことを特徴とする請求項１〜５のいずれか１項に記載の鋼管サポートフレーム。
【請求項１０】
鋼管サポートユニット（１０１）、前記鋼管サポートユニット（１０１）内に設けられるサポート内部コア（１０２）、前記鋼管サポートユニット（１０１）上に設けられて且つ前記鋼管サポートユニット（１０１）の長さ方向に沿って配列する多数の鋼管収容凹溝（３）及び隣接する二つの前記鋼管収容凹溝（３）の間に設けられる間隔ユニット（４）を備える、鋼管サポートフレームであって、
前記鋼管収容凹溝（３）内に前記鋼管収容凹溝（３）の中心断面の一側に位置する少なくとも二つの第一サポートリブ板（５）及び／又は前記鋼管収容凹溝（３）の中心断面の他側に位置する少なくとも二つの第二サポートリブ板（６）が設けられ、隣接する二つの前記第一サポートリブ板（５）の間に第一凹陥部（７）が設けられ、隣接する二つの前記第二サポートリブ板（６）の間に第二凹陥部（８）が設けられ、
前記第一サポートリブ板（５）の前記第二サポートリブ板（６）に接近する端部に前記鋼管収容凹溝（３）の底面と交差する第一段差面（９）が設けられ、前記第二サポートリブ板（６）の前記第一サポートリブ板（５）に接近する端部に前記鋼管収容凹溝（３）の底面と交差する第二段差面（１０）が設けられる、
ことを特徴とする鋼管サポートフレーム。
【請求項１１】
鋼管サポートユニット（１０１）、前記鋼管サポートユニット（１０１）内に設けられるサポート内部コア（１０２）、前記鋼管サポートユニット（１０１）上に設けられて且つ前記鋼管サポートユニット（１０１）の長さ方向に沿って配列する多数の鋼管収容凹溝（３）及び隣接する二つの前記鋼管収容凹溝（３）の間に設けられる間隔ユニット（４）を備える、鋼管サポートフレームであって、
前記鋼管収容凹溝（３）内に前記鋼管収容凹溝（３）の中心断面の一側に位置する少なくとも二つの第一サポートリブ板（５）及び／又は前記鋼管収容凹溝（３）の中心断面の他側に位置する少なくとも二つの第二サポートリブ板（６）が設けられ、隣接する二つの前記第一サポートリブ板（５）の間に第一凹陥部（７）が設けられ、隣接する二つの前記第二サポートリブ板（６）の間に第二凹陥部（８）が設けられ、
前記鋼管収容凹溝（３）の底面に少なくとも一つの軸方向貫通の凹溝（１５）が設けられる、
ことを特徴とする鋼管サポートフレーム。
【請求項１２】
下から上へ順次に平行に配列する請求項１〜１１のいずれか１項に記載の多数の鋼管サポートフレーム及び前記多数の鋼管サポートフレームの両端に設定され且つ前記多数の鋼管サポートフレームを接続する二つの垂直接続機構（２）を備える、
ことを特徴とする鋼管サポート装置。
【請求項１３】
前記垂直接続機構（２）はタイバー（２０１）、一番上の前記鋼管サポートフレーム上に設けられる上接続板（２０８）、前記上接続板（２０８）上に設けられるタイバー通過孔（２０２）、一番下の前記鋼管サポートフレーム上に設けられる下接続板（２０９）、前記下接続板（２０９）上に設けられる下側タイバースロット（２１０）、他の前記鋼管サポートフレーム上に設けられる中間接続ブロック（２１１）、前記中間接続ブロック（２１１）上に設けられる中間タイバースロット（２１２）、前記タイバー（２０１）の上端に設けられるねじ部（２０３）、前記ねじ部（２０３）上に螺合する締結ナット（２０４）、前記タイバー（２０１）の下端に設けられて前記タイバー（２０１）が前記下側タイバースロット（２１０）中から垂直に脱出することを防止するための脱出防止部（２０５）及び前記脱出防止部（２０５）が外へ向けて横滑り出すことを防止するための側方止め板（２０６）を備える、
ことを特徴とする請求項１２に記載の鋼管サポート装置。
【請求項１４】
鋼管サポートユニット（１０１）、前記鋼管サポートユニット（１０１）内に設けられるサポート内部コア（１０２）、前記鋼管サポートユニット（１０１）上に設けられて且つ前記鋼管サポートユニット（１０１）の長さ方向に沿って配列する多数の鋼管収容凹溝（３）及び隣接する二つの前記鋼管収容凹溝（３）の間に設けられる間隔ユニット（４）を備える、鋼管サポートフレームであって、前記鋼管収容凹溝（３）内に前記鋼管収容凹溝（３）の中心断面の一側に位置する少なくとも二つの第一サポートリブ板（５）及び／又は前記鋼管収容凹溝（３）の中心断面の他側に位置する少なくとも二つの第二サポートリブ板（６）が設けられ、隣接する二つの前記第一サポートリブ板（５）の間に第一凹陥部（７）が設けられ、隣接する二つの前記第二サポートリブ板（６）の間に第二凹陥部（８）が設けられる、鋼管サポートフレームを下から上へ順次に平行に配列する多数の鋼管サポートフレームと、
前記多数の鋼管サポートフレームの両端に設定され且つ前記多数の鋼管サポートフレームを接続する二つの垂直接続機構（２）と、を備え、
前記垂直接続機構（２）はタイバー（２０１）、一番上の前記鋼管サポートフレーム上に設けられる上接続板（２０８）、前記上接続板（２０８）上に設けられるタイバー通過孔（２０２）、一番下の前記鋼管サポートフレーム上に設けられる下接続板（２０９）、前記下接続板（２０９）上に設けられる下側タイバースロット（２１０）、他の前記鋼管サポートフレーム上に設けられる中間接続ブロック（２１１）、前記中間接続ブロック（２１１）上に設けられる中間タイバースロット（２１２）、前記タイバー（２０１）の上端に設けられるねじ部（２０３）、前記ねじ部（２０３）上に螺合する締結ナット（２０４）、前記タイバー（２０１）の下端に設けられて前記タイバー（２０１）が前記下側タイバースロット（２１０）中から垂直に脱出することを防止するための脱出防止部（２０５）及び前記脱出防止部（２０５）が外へ向けて横滑り出すことを防止するための側方止め板（２０６）を備える、
ことを特徴とする鋼管サポート装置。
【請求項１５】
前記タイバー（２０１）と前記脱出防止部（２０５）との間に前記中間タイバースロット（２１２）と嵌め合って前記タイバー（２０１）の回転を防止するための回転防止（２０７）が設けられ、前記回転防止（２０７）に前記中間タイバースロット（２１２）と嵌め合う二つの回り止め横が設けられ、前記脱出防止部（２０５）と前記下接続板（２０９）底部との間に一対の互いに嵌め合う位置決め平面が設けられ、前記タイバー（２０１）、前記脱出防止部（２０５）及び前記回転防止（２０７）は一体成形又は一体に溶接される、
ことを特徴とする請求項１３又は１４に記載の鋼管サポート装置。
【発明の詳細な説明】
【技術分野】
【０００１】
本発明はパイプ材の搬送及び集積技術分野に関し、特に鋼管に用いられるサポートフレーム及び鋼管サポート装置に関する。
【背景技術】
【０００２】
鋼管は加工した後、集積及び搬送を行う必要があり、集積又は搬送行程には、加工済みの鋼管が損害されることを防止するために、鋼管は集積及び搬送行程中には、いずれもサポート装置上に置かれる。開示日が２０１０年４月２３日である特許文献１は包装集積搬送支持装置を開示し、鋼管を互いに隔てる中間支持部品といくつかの鋼管を梱包するための梱包帯鋼を含み、前記中間支持部品に上下両列の鋼管形状と適するアーク形状の凹溝が設けられ、前記中間支持部品の材質が高強度プラスチックであり、該実用新案の鋼管包装集積搬送支持装置は、鋼管を梱包するとき互いに衝撃し摩擦せず、それにより鋼管表面を損害されないように保護する。
【０００３】
しかし、現在の鋼管集積、搬送に用いられるサポート装置は、実際の使用中には、鋼管の腐食を起こし、特に長時間の集積又は海送を行うとき、さらに深刻になる。
【先行技術文献】
【特許文献】
【０００４】
【特許文献１】中国実用新案第２０１０４９７９５号明細書
【発明の概要】
【発明が解決しようとする課題】
【０００５】
本発明は、従来の技術の不足を克服し、構成がシンプルで、製作しやすく、コストが低く、鋼管の腐食を、特に鋼管を長時間集積、海送搬送する行程中に効果的に防止できる、鋼管サポートフレーム及び鋼管サポート装置を提供することを目的とする。
【課題を解決するための手段】
【０００６】
本発明の上記技術目的は下記技術的解決手段によって達成する。鋼管サポートフレームであって、鋼管サポートユニット、前記鋼管サポートユニット内に設けられるサポート内部コア、前記鋼管サポートユニット上に設けられて且つ前記鋼管サポートユニットの長さ方向に沿って配列する多数の鋼管収容凹溝及び隣接する二つの前記鋼管収容凹溝の間に設けられる間隔ユニットを備える。前記鋼管収容凹溝内に前記鋼管収容凹溝中心の断面一側に位置する少なくとも二つの第一サポートリブ板及び／又は前記鋼管収容凹溝中心断面の他側に位置する少なくとも二つの第二サポートリブ板が設けられ、隣接する二つの前記第一サポートリブ板の間に第一凹陥部が設けられ、隣接する二つの前記第二サポートリブ板の間に第二凹陥部が設けられる。
【０００７】
出願人は、繰り返した研究及び試験によって以下のことを見出した。従来の鋼管サポートフレーム又はサポート装置（例えば背景技術中に挙げた例）は、すべてホルダ（一般的にはプラスチック、ポリウレタン等からなる）とホルダ内に設けられる鋼製内部コアを備え、プラスチックは一定の弾性を持ち、鋼管表面を損害することを回避することができ（同時にも金属と金属の直接接触のため、接触性腐食が発生することを回避する）、ホルダ上にはすべて鋼管を置くための多数の軸方向凹溝が設けられ（ここの軸方向は、軸方向凹溝内に置かれる鋼管の軸方向の伸び方向を指す）、鋼管は長時間置いた後、特に海上に搬送するとき、高温、高湿、高塩分の環境中に長時間あり、鋼管は局所的に腐食され、特にたくさんの高品質コーティング鋼管、例えば油採掘に用いられる採油パイプ等について、我々は、腐食を引き起こす原因が以下の通りであることを発見した。ホルダの軸方向凹溝部分と鋼管表面とを長時間取り付けた後、接触部分は水分が長時間蓄積し、且つ押し出されるので、鋼管表面の腐食を引き起こす。したがって、出願人は従来のサポートフレームを改良し、鋼管収容凹溝上に軸方向（鋼管の軸方向）に沿い、第一サポートリブ板、第二サポートリブ板が設定され、第一サポートリブ板、第二サポートリブ板は鋼管収容凹溝の中心断面に対して対称又は交互に設置され、隣接する二つの第一サポートリブ板の間に第一凹陥部が設けられ、隣接する二つの第二サポートリブ板の間に第二凹陥部が設けられ、このような構造は、使用するとき、第一サポートリブ板、第二サポートリブ板は鋼管の表面と接触し、鋼管との当たり面積を大幅に低下させ、水分と鋼管との当たり面積を減少させ、且つ、第一凹陥部と第二凹陥部の設定は、排水の役割を果たすだけでなく、換気の作用も果たし、両者が結合して、鋼管腐食の可能性を大幅に低下させる。
【０００８】
好ましくは、前記第一サポートリブ板と前記第二サポートリブ板の前記鋼管と接触する表面は円弧面である。
【０００９】
円弧面の構造を採用し、それにより第一サポートリブ板と第二サポートリブ板は鋼管をよりよくサポートすることができ、サポート効果を保証し、鋼管に対する保護効果を保証することができる。
【００１０】
好ましくは、前記第一サポートリブ板と第二サポートリブ板は前記鋼管収容凹溝中心断面の両側に対称又は千鳥状に設けられる。
【００１１】
好ましくは、前記第一サポートリブ板、第二サポートリブ板は等幅板で又は前記鋼管収容凹溝の底面に接近すればするほど幅が徐々に広くなる。
【００１２】
好ましくは、前記第一サポートリブ板の前記第二サポートリブ板に接近する端部に前記鋼管収容凹溝の底面と交差する第一段差面が設けられ、前記第二サポートリブ板の前記第一サポートリブ板に接近する端部に前記鋼管収容凹溝の底面と交差する第二段差面が設けられる。
【００１３】
第一段差面と第二段差面の設定は、鋼管が鋼管収容凹溝上に置かれた後、鋼管収容凹溝の底面との間にも間隙があり、鋼管と鋼管収容凹溝の底面との間の接触に引き起こされる腐食を回避する。
【００１４】
好ましくは、前記第一サポートリブ板と前記鋼管収容凹溝横との間に第一遷移接続板が設けられる。前記第二サポートリブ板と前記鋼管収容凹溝の側面の間に第二遷移接続板が設けられる。
【００１５】
第一遷移接続板と第二遷移接続板の設定は、鋼管が第一サポートリブ板と第二サポートリブ板上に置かれるとき、再取り付けされても、二つの第一サポートリブ板及び二つの第二サポートリブ板の間の換気、排水性能を保証することができる。
【００１６】
好ましくは、前記間隔ユニットの頂面上に垂直開口部が設けられる。前記垂直開口部は２〜５個あり、隣接する二つの垂直開口部の間に仕切り壁があり、前記仕切り壁の位置は前記第一サポートリブ板、第二サポートリブ板位置と対応する。
【００１７】
好ましくは、前記第一サポートリブ板、第二サポートリブ板は厚さが同じで、前記仕切り壁の厚さが前記第一サポートリブ板の厚さ以上である。
【００１８】
好ましくは、前記間隔ユニットは中実間隔ユニットである。
【００１９】
好ましくは、隣接する二つの前記第一サポートリブ板及び／又は隣接する二つの第二サポートリブ板の間に補強リブ板が設けられる。前記補強リブ板は１〜５個ある。
【００２０】
補強リブ板であって、第一サポートリブ板と第二サポートリブ板の支え力を向上させ、全体のサポートフレームの構造強度を保証することができる。
【００２１】
好ましくは、前記補強リブ板と前記第一凹陥部の底面、第二凹陥部の底面との間に連通口がある。前記連通口は前記補強リブ板上に設けられて且つその底面と連通する開口部又は前記補強リブ板と前記第一凹陥部の底面、第二凹陥部の底面との間の間隙である。
【００２２】
好ましくは、前記第一サポートリブ板及び／又は前記第二サポートリブ板に多数の凸起リブ板が設けられる。前記凸起リブ板の横断面は長方形又は等脚台形又はアーク形状である。
【００２３】
第一サポートリブ板、第二サポートリブ板上に多数の摩擦リブ板が設けられ、鋼管をサポートするとき、摩擦力を向上させ、置く効果を保証することができる。且つ鋼管との当たり面積を更に減少することができる。好ましくは、前記鋼管収容凹溝の底面に少なくとも一つの貫通凹溝が設けられる。
【００２４】
好ましくは、前記鋼管収容凹溝の底面に少なくとも一つの軸方向貫通の凹溝が設けられる。
【００２５】
軸方向貫通の凹溝の設定は、第一凹陥部、第二凹陥部からの水を排出することができるだけでなく、換気の役割も果たし、更に鋼管の腐食を回避する。
【００２６】
好ましくは、前記鋼管サポートフレームは遷移インサートをさらに備え、前記遷移インサートはインサート、前記インサート上に設けられる円弧溝、前記インサート上に設けられる前記第一凹陥部、第二凹陥部と嵌め合う第一ストッパー、第二ストッパー及び前記インサートの端部に設けられて前記間隔ユニットと接触する端部押え板を備える。
【００２７】
全体のサポートフレームの適応性を向上させ、サポートフレームには多種のスペック仕様の鋼管が置かれるために、出願人は遷移インサートを設定し、必要がある場合、遷移インサートを鋼管収容凹溝中に置き、収容される鋼管をサポートすることに用いる。
【００２８】
鋼管サポート装置であって、下から上へ順次に平行に配列する多数の鋼管サポートフレーム及び前記多数の鋼管サポートフレームの両端に設定されて且つ前記多数の鋼管サポートフレームを接続する二つの垂直接続機構を備える。
【００２９】
好ましくは、前記垂直接続機構はタイバー、一番上の前記鋼管サポートフレーム上に設けられる上接続板、前記上接続板上に設けられるタイバー通過孔、一番下の前記鋼管サポートフレーム上に設けられる下接続板、前記下接続板上に設けられる下側タイバースロット、他の前記鋼管サポートフレーム上に設けられる中間接続ブロック、前記中間接続ブロック上に設けられる中間タイバースロット、前記タイバーの上端に設けられるねじ部、前記ねじ部上に螺合する締結ナット、前記タイバーの下端に設けられて前記タイバーが前記下側タイバースロット中から垂直に脱出することを防止するための脱出防止部及び前記脱出防止部が外へ横滑り出すことを防止するための側方止め板を備える。
【００３０】
まず、中間タイバースロットと下側タイバースロットはタイバーが側方に入られる一つの通路を共同に構成する。タイバーが側方から通路中に置入された後、リフティングの動作によって、脱出防止部が垂直に止められる。その後、上端ナットをタイバー上端ねじ部に螺入することによって、タイバーが垂直に移動しないことを保証する。同時に、側方止め板は側方上において脱出防止部を制限し、タイバーが側方から通路を滑り出さないことを保証する。
【００３１】
本垂直接続機構を採用する鋼管サポート装置は従来の構造に比べて、米国特許第７０８０８６４号明細書の図１に図示されるように、一つの鋼管の吊り下げは、数個の鋼管サポート装置（一般的には２〜４個）を必要とし、各鋼管サポート装置は数個のホルダ（本願中の鋼管サポートフレームに相当する）及びその両側の固定部分（本願中の垂直接続機構に相当する）からなる。
【００３２】
その取り付け方式は以下のとおりである。
【００３３】
まず、各層のホルダをそれに対応するインサートとよく接続する。例えば、最底層に位置するホルダ両端を二つの底層インサートと接続する。中間層に位置するホルダ両端を二つのＵ型材と接続する。最上層のホルダを二つの上層インサートと接続する。次に、ホルダの凹溝の軸方向上での位置合わせを保証し、それにより鋼管を置きやすくするために、梱包ホルダの個数に基づき、数個の底層ホルダを稼動プラットフォーム上に置く。その後、最底層のホルダ上に第一層鋼管を置く。次にまた、第一層の鋼管上に中間層のホルダを置く。次に、中間層のホルダ上に鋼管を置き、このように繰り返して、最後に、最上層のホルダを置く。これで、鋼管とホルダの配置を完了する。
【００３４】
その後、次のステップに入り、各ホルダを固定する。
【００３５】
米国特許第７０８０８６４号明細書のホルダに基づくと、このときそれは二本のねじを上から下へ順次に上インサート、Ｕ型インサート、下インサートに貫通させ、最後にプレインストールのナットにねじ込み、次に頂層のナットをねじ上端にねじ込んで、全体の装置のロックを達成する。それは、ねじを取り付ける過程の位置合わせがより難しく、作業者が側方タイバー機構の所在の一側で作業する必要があり、次にそのトルクの伝達も難しく、チャックによってねじを挟み、それを螺入する必要がある。
【００３６】
それに対して、垂直接続機構を使うと、タイバーをねじ込んでナットをはめ合うステップを直接省いて、タイバーを下インサートの側面から直接入れ、リフティングして引き抜き、最後に上端ナットによってロックする。ワークピースは一定のマージンを持って設計されるため、側面に入れるときナットと同じように的確に位置合わせする必要がなく、作業者が完全にテーブルの一側で作業を完了することができ、ある工場現場の両側で作業できない欠点を解決できる。且つ、本発明は工具でタイバーをねじ込んでナットに固定する作業にかかる時間を省いて、同時に工具をも節約する。
【００３７】
好ましくは、前記タイバーと前記止めユニットとの間に前記中間タイバースロットと嵌め合って前記タイバーの回転を防止するための回転防止ユニットが設けられる。前記回転防止ユニットに前記中間タイバースロットと嵌め合う二つの回り止め側面が設けられる。前記脱出防止部と下接続板底部との間に一対の互いに嵌め合う位置決め平面が設けられる。前記タイバー、前記脱出防止ユニット及び回転防止ユニットは一体成形で又は一体に溶接される。
【００３８】
回転防止の設定は、締結ナットを回転するとき、全体のタイバーの回転を防止するためであり、同時に、それは下側タイバースロットと嵌め合い、ガイドと位置決めの役割をも果たす。
【発明の効果】
【００３９】
上記のように、本発明は下記の有益な効果を有する。
【００４０】
構成が簡単で、製作しやすく、コストが低く、鋼管腐食に抵抗でき、構造強度が高く、鋼管をより良く保護できる。
【図面の簡単な説明】
【００４１】
【図１】図１は本発明中の鋼管サポートフレーム実施形態１の概略構成図であり、鋼管サポートフレームに既に上接続板が置かれている。
【図２】図２は本発明中の鋼管サポート装置の概略構成図である。
【図３】図３は図２中のＡの局所拡大図である。
【図４】図４は図２中のタイバーの概略構成図である。
【図５】図５は本発明実施形態２の概略構成図である。
【図６】図６は本発明実施形態３の概略構成図である。
【図７】図７は本発明実施形態４の概略構成図である。
【図８】図８は本発明実施形態５の概略構成図である。
【図９】図９は補強リブ板の第一サポートリブ板上に設けられる概略構成図である。
【図１０】図１０は連通口が長方形である例を示す図である。
【図１１】図１１は連通口が三角形である例を示す図である。
【図１２】図１２は連通口がアーク形状である例を示す図である。
【図１３】図１３は下端接続ブロックの概略構成図である。
【図１４】図１４は下端接続ブロックの他の概略構成図である。
【発明を実施するための形態】
【００４２】
以下、図面を参照しながら本発明について更に詳細に説明する。
【００４３】
本具体的な実施形態はただ本発明に対する解釈で、本発明の制限にならず、当業者が本仕様書を閲覧した後必要に基づき本実施形態に対して創造性貢献ない改定を行うことができるが、本発明の請求項の範囲内であればすべて特許法に保護される。
【００４４】
（実施形態１）
図１、２、３、４に示されるように、鋼管サポートフレームは、鋼管サポートユニット１０１、前記鋼管サポートユニット１０１内に設けられるサポート内部コア１０２、前記鋼管サポートユニット１０１上に設けられて且つ前記鋼管サポートユニット１０１長さ方向に沿って配列する多数の鋼管収容凹溝３及び隣接する二つの前記鋼管サポートユニット１０１の間に設けられる間隔ユニット４を含む。鋼管サポートユニット１０１はプラスチック又はポリウレタン等からなり、一定の弾性を備え、鋼管を損害せず、一般的には矩形で又は矩形に近似する。サポート内部コア１０２は硬質材料からなり、一般的には角棒鋼パイプを採用し、前記鋼管サポートユニット１０１は長さ方向上の隣接する二つの前記鋼管収容凹溝３の間に間隔ユニット４が設けられる。前記鋼管収容凹溝３内に前記鋼管収容凹溝３の中心断面の一側に位置する少なくとも二つの第一サポートリブ板５又は前記鋼管収容凹溝３の中心断面の他側に位置する少なくとも二つの第二サポートリブ板６が設けられ、好ましくは、それぞれ前記鋼管収容凹溝３の中心断面の両側に少なくとも二つの第一サポートリブ板５と少なくとも二つの第二サポートリブ板６が設定される。隣接する二つの第一サポートリブ板５の間に第一凹陥部７が設けられ、隣接する二つの第二サポートリブ板６の間に第二凹陥部８が設けられる。第一サポートリブ板５、第二サポートリブ板６の個数は実際の必要に基づき設定され、２、３、４、５、６、７、８、９、１０、１１、１２、１３……あり、好ましくは、３〜８個である。間隔距離も必要に基づき調整でき、そのうち、幅方向の最外側に位置する二つの第一サポートリブ板５の側面が鋼管サポートユニット１０１の幅方向の二つの側面と同じ水平面にあり、鋼管サポートユニット１０１の幅方向（つまり鋼管軸方向）の最外側に位置する二つの第二サポートリブ板６の側面と鋼管サポートユニット１０１の幅方向の二つの側面と同じ水平面にある。一般的には、第一サポートリブ板、第二サポートリブ板及び前記鋼管サポートユニット１０１は一体射出成形である。前記第一サポートリブ板５、第二サポートリブ板６は等幅板で、又は、その幅は前記鋼管収容凹溝３の底面に接近すればするほど徐々に広くなり、それによりその横断面が台形又はアーク形状で又は台形に近似してもよい。鋼管に対するサポート効果を向上させるために、前記第一サポートリブ板５の前記第二サポートリブ板６と前記鋼管と接触する表面が円弧面である。更に、前記鋼管収容凹溝３は第一側面３０１、第二側面３０２及び前記第一側面３０１、第二側面３０２に接続される底面３０３を含み、底面３０３が平面又は円弧面で、又は、底面３０３が二つと交差する傾斜平面でもよい。前記第一側面３０１、第二側面３０２が垂直平面で、前記円弧底面は少なくとも一部分が前記第一凹陥部７及び第二凹陥部８中に伸び込む。同時に、前記鋼管収容凹溝３の底面に少なくとも一つの軸方向貫通の凹溝１５が設けられ、好ましくは、軸方向貫通の凹溝１５の横断面が長方形又はアーク形状又は台形である。
【００４５】
本実施の形態中には、前記第一サポートリブ板５、第二サポートリブ板６は鋼管収容凹溝の中心断面に対して対称的に設定される。又は間隔的に設定され、対称設定はサポートに対してより有利で、前記間隔ユニット４は中実間隔ユニットでもよく、又は、前記間隔ユニットの頂面上に垂直開口部１４が設けられ、垂直開口部１４の設定は材料使用量を減少させることができる。前記垂直開口部１４は２〜８個あり、隣接する二つの垂直開口部１４の間に仕切り壁２０があり、前記仕切り壁２０の位置は前記第一サポートリブ板５、第二サポートリブ板６の位置と対応する。仕切り壁２０は第一サポートリブ板５、第二サポートリブ板６の位置と対応し、第一サポートリブ板５、第二サポートリブ板６の位置に対してよりよくサポートすることができ、前記第一サポートリブ板５、第二サポートリブ板６の厚さは同じである。
【００４６】
更に、隣接する二つの前記第一サポートリブ板５及び隣接する二つの第二サポートリブ板６の間にいずれも補強リブ板１３が設けられる。隣接する二つの前記第一サポートリブ板５の間、隣接する二つの第二サポートリブ板６の間の補強リブ板１３は１〜５個あり、前記補強リブ板１３と前記第一凹陥部７の底面又は第二凹陥部８の底面との間に連通口１８があり、好ましくは、前記補強リブ板１３と前記第一凹陥部７の底面及び第二凹陥部８の底面との間に連通口１８がある。前記連通口１８は前記補強リブ板１３上に設けられて且つその底面と連通する開口部で、開口部が長方形又はアーク形状又は三角形（図１０、１１、１２を参照する）、又は他の形状で、更に、連通口１８は前記補強リブ板１３と前記第一凹陥部７の底面、第二凹陥部８の底面との間の間隙であり、間隙の値が１〜３ｍｍである。補強リブ板１３の頂面と第一サポートリブ板５の頂面、第二サポートリブ板６の頂面は同じ水平面にある。
【００４７】
本実施形態は鋼管サポート装置を提供し、多数の下から上へ順次に平行に配列する鋼管サポートフレーム及び前記多数の鋼管サポートフレーム両端に設定されて且つ前記多数の鋼管サポートフレームを接続する二つの垂直接続機構２を含む。前記垂直接続機構２は二つあり、タイバー２０１、一番上の前記鋼管サポートフレーム上に設けられる上接続板２０８、前記上接続板２０８上に設けられるタイバー通過孔２０２、一番下の前記鋼管サポートフレーム上に設けられる下接続板２０９、前記下接続板２０９上に設けられる下側タイバースロット２１０、他の前記鋼管サポートフレーム上に設けられる中間接続ブロック２１１、前記中間接続ブロック２１１上に設けられる中間タイバースロット２１２、前記タイバー２０１上端に設けられるねじ部２０３、前記ねじ部２０３上に螺合する締結ナット２０４、前記タイバー２０１の下端に設けられて前記タイバー２０１が前記下側タイバースロット２１０中から垂直に脱出することを防止するための脱出防止部２０５及び前記脱出防止部２０５が外側面へ滑り出すことを防止するための側方止め板２０６を含む。上接続板２０８の両端に前記鋼管サポートフレームを貫通し、両端から貫通し出す部分は上部左側ヘッド２０８ａ、右側ヘッド２０８ｂを形成し、下接続板の両端もねじ立てトンネルサポートフレームが貫通し出し、二つの端部を形成する。
【００４８】
多数の鋼管サポートフレームは垂直で配列され、一番上の鋼管サポートフレーム上の上接続板２０８上のタイバー通過孔２０２、一番下の鋼管サポートフレーム上の下接続板２０９上の下側タイバースロット２１０、及び中間の鋼管サポートフレーム上の中間接続ブロック２１１上に位置する中間タイバースロット２１２は、タイバーの通路を形成し、つまり、タイバー通過孔２０２、中間タイバースロット２１２及び下側タイバースロット２１０はタイバーを取り付ける通路を形成し、タイバーは多数の鋼管サポートフレームを固定するとき、この通路内に位置し、タイバー２０１は硬質レバーで、横断面が円形又は多角形等で、一般的には鋼レバーを採用し、タイバー通過孔２０２が貫通孔で、上接続板２０８上に設けられ、上接続板２０８がサポート内部コアに挿入して接続され、下接続板がサポート内部コアに挿入して接続される。中間接続ブロック２１１はプラスチック材質で、サポート内部コア１０２中に挿入して接続され又は射出成形を採用してサポート内部コア１０２上に接続され、同じように、一番上の鋼管サポートフレーム上にサポート内部コアに挿入する上端接続ブロックが設けられ、上端接続ブロックもプラスチック材質で、保護役割を果たす。一番下の鋼管サポートフレーム上にサポート内部コアに挿入して且つプラスチックからなる下端接続ブロックが設けられ、本実施形態中には、上端接続ブロックと下端接続ブロック構造が同じで、下端接続ブロック１９の構造図を示す図１３に示されるように、下端接続ブロック１９が中空部ハウジングの構造で、その上に挿入接続キャビティ１９０１、及び挿入接続キャビティ１９０１と連通する開口部溝１９０２が設けられ、開口部溝１９０２はタイバーを貫通させるために用いられ、開口部溝１９０２の端部に端部ガード１９０３が形成され、開口部溝１９０２と対応する底部側面上に底部開口部１９０４が設けられ、底部開口部１９０４の両側に二つの側方止め板１９０５が設けられ、側方止め板１９０５と中空部ハウジング側板との間にガイド取付溝１９０６が形成され、取り付けるとき、下接続板ランアウトの端部の側方板がガイド取付溝１９０６内に挿入して接続される。好ましくは、下端接続ブロック１９は図１４の構造を採用してもよく、中空部ハウジングの構造で、その上に挿入接続キャビティ１９０１、挿入接続キャビティと連通する開口部溝１９０２が設けられ、開口部溝１９０２はタイバーを貫通させるために用いられ、開口部溝１９０２の端部に端部ガード１９０３が形成され、開口部溝１９０２と対応する底部の側面に底部凹溝１９０７が設けられ、底部凹溝１９０７の底部が底部接続板１９０８である。中間タイバースロット２１２及び下側タイバースロット２１０の設定は、タイバーを側方から入れられるようにさせる。取り付けが容易である。脱出防止部２０５と下接続板底部との間に一対の互いに嵌め合う位置決め平面が設けられ、位置決め平面の設定は、タイバーの垂直を保証でき、その傾斜のため、鋼管を固定する効果に影響することを防止し、脱出防止部２０５の底面が球面である。前記垂直接続機構２は前記脱出防止部２０５が外側面に滑り出すことを防止するための側方止め板２０６をさらに含み、側方止め板２０６は下接続板端部が屈曲されてなり、又は側方止め板２０６が下接続板上に固定され且つ一つの曲げる端部を有し、側方止め板２０６は脱出防止部２０５が下側タイバースロット２１０中から滑り出すことを防止し、タイバーの下端が傾斜することを更に防止する。前記タイバー２０１と前記脱出防止部２０５との間に前記下側タイバースロット２１０と嵌め合って前記タイバー２０１の回転を防止するための回転防止ユニット２０７が設けられ、回転防止ユニット２０７はタイバー２０１の回転を防止し、締結ナットをねじ部２０３上に取り付けやすくするために用いられ、下側タイバースロット２１０の二つの側面と嵌め合うために、前記回転防止ユニット２０７に二つの回り止め側面が設けられる。回転防止ユニット２０７は本実施形態中には長方形で、正多角形体でもよく、又は多角形体に近似してもよく、又は円柱体でもよく、外表面に二つの回り止め側面が加工される。前記タイバー、前記脱出防止部及び回転防止は一体成形で、又は一体に溶接され、取り外すことができない。
【００４９】
（実施形態２）
図５を参照する。以下、実施形態１と異なる。前記第一サポートリブ板５の前記第二サポートリブ板６に接近する端部に前記鋼管収容凹溝３の底面と交差する第一段差面９が設けられ、前記第二サポートリブ板６の前記第一サポートリブ板５に接近する端部に前記鋼管収容凹溝３の底面と交差する第二段差面１０が設けられる。第一段差面と第二段差面の高さは１〜３ｍｍである。前記第一サポートリブ板５と前記鋼管収容凹溝３の側面との間に第一遷移接続板１１が設けられる。前記第二サポートリブ板６と前記鋼管収容凹溝３の側面との間に第二遷移接続板１２が設けられる。
【００５０】
（実施形態３）
図６を参照する。以下、実施形態１と異なる。前記鋼管サポートフレームは遷移インサート１７をさらに含み、遷移インサートがプラスチック又はポリウレタンからなり、遷移インサートの存在は、全体の鋼管製成フレーム及び鋼管製成装置へ、異なるスペック仕様の鋼管に適用させ、効率をを向上させ応用範囲を拡大し、前記遷移インサートはインサート１７０１、前記インサート１７０１上に設けられる円弧溝１７０２、前記インサート１７０１上に設けられて前記第一凹陥部７、第二凹陥部８と嵌め合う第一ストッパー１７０３、第二ストッパー１７０４及び前記インサート１７０１端部に設けられて前記間隔ユニット４と接触する端部押え板１７０５を含み、円弧溝は鋼管を置くために用いられ、第一ストッパーと第二ストッパーは第一凹陥部７、第二凹陥部８内に挿入して接続され、端部押え板１７０５が間隔ユニット４上に作用する。
【００５１】
（実施形態４）
図７を参照する。以下、実施形態１と異なる。前記第一サポートリブ板５、第二サポートリブ板６に多数の凸起リブ板１６が設けられ、３、４、５、６、７、８等複数個があり、第一サポートリブ板５、第二サポートリブ板６上の表面の円周方向に沿って設定され、凸起リブ板１６の横断面が長方形又は等脚台形又はアーク形状で、凸起リブ板の存在が、鋼管をよりよく置かせ、且つ鋼管との当たり面積を更に減少させることができる。
【００５２】
（実施形態５）
図８、９を参照する。以下、実施形態１と異なる。前記第一サポートリブ板５、第二サポートリブ板６上に多数の凸起リブ板１６が設けられ、３、４、５、６、７、８等複数個があり、第一サポートリブ板５、第二サポートリブ板６上の表面の円周方向に沿って設定され、凸起リブ板１６の横断面が長方形又は等脚台形又はアーク形状で、凸起リブ板の存在は、鋼管をさらにより良好に置くことができ、且つ鋼管との当たり面積をさらに減少させる。隣接する二つの前記第一サポートリブ板５及び隣接する二つの第二サポートリブ板６の間にいずれも補強リブ板１３が設けられる。隣接する二つの前記第一サポートリブ板５の間、隣接する二つの第二サポートリブ板６の間の補強リブ板１３は１〜５個あり、前記補強リブ板１３と前記第一凹陥部７の底面又は第二凹陥部８の底面との間に連通口１８があり、好ましくは、前記補強リブ板１３と前記第一凹陥部７の底面及び第二凹陥部８の底面との間に連通口１８がある。前記連通口１８は前記補強リブ板１３上に設けられて且つその底面と連通する開口部で、開口部が長方形又はアーク形状又は三角形、又は他の形状で、更に、連通口１８が前記補強リブ板１３と前記第一凹陥部７の底面、第二凹陥部８の底面のとの間の間隙で、間隙の値が１〜３ｍｍである。更に、補強リブ板１３の頂面と第一サポートリブ板５の頂面、第二サポートリブ板６の頂面は同じ水平面にある。
【００５３】
（実施形態６）
以下、実施形態１と異なる。前記第一サポートリブ板５、第二サポートリブ板６はいずれも二つあり、二つの前記第一サポートリブ板５及び二つの第二サポートリブ板６の間にいずれも３〜６個の補強リブ板１３が設けられ、前記補強リブ板１３と前記第一凹陥部７の底面又は第二凹陥部８の底面との間に連通口１８があり、好ましくは、前記補強リブ板１３と前記第一凹陥部７の底面及び第二凹陥部８の底面との間に連通口１８がある。前記連通口１８は前記補強リブ板１３上に設けられて且つその底面と連通する開口部で、開口部が長方形又はアーク形状又は三角形、又は他の形状である。更に、補強リブ板１３の頂面と第一サポートリブ板５の頂面、第二サポートリブ板６の頂面と同じ水平面にある。
【００５４】
（付記）
（付記１）
鋼管サポートユニット（１０１）、前記鋼管サポートユニット（１０１）内に設けられるサポート内部コア（１０２）、前記鋼管サポートユニット（１０１）上に設けられて且つ前記鋼管サポートユニット（１０１）の長さ方向に沿って配列する多数の鋼管収容凹溝（３）及び隣接する二つの前記鋼管収容凹溝（３）の間に設けられる間隔ユニット（４）を備える、鋼管サポートフレームであって、
前記鋼管収容凹溝（３）内に前記鋼管収容凹溝（３）の中心断面の一側に位置する少なくとも二つの第一サポートリブ板（５）及び／又は前記鋼管収容凹溝（３）の中心断面の他側に位置する少なくとも二つの第二サポートリブ板（６）が設けられ、隣接する二つの前記第一サポートリブ板（５）の間に第一凹陥部（７）が設けられ、隣接する二つの前記第二サポートリブ板（６）の間に第二凹陥部（８）が設けられる、
ことを特徴とする鋼管サポートフレーム。
【００５５】
（付記２）
前記第一サポートリブ板（５）、第二サポートリブ板（６）の鋼管と接触する表面は円弧面である、
ことを特徴とする付記１に記載の鋼管サポートフレーム。
【００５６】
（付記３）
前記第一サポートリブ板（５）と第二サポートリブ板（６）は前記鋼管収容凹溝（３）の中心断面の両側に対称又は千鳥状に設けられる、
ことを特徴とする付記１に記載の鋼管サポートフレーム。
【００５７】
（付記４）
前記間隔ユニット（４）頂面上に垂直開口部（１４）が設けられ、前記垂直開口部（１４）は２〜５個あり、隣接する二つの垂直開口部（１４）の間に仕切り壁（２０）があり、前記仕切り壁（２０）の位置は前記第一サポートリブ板（５）、第二サポートリブ板（６）の位置と対応する、
ことを特徴とする付記３に記載の鋼管サポートフレーム。
【００５８】
（付記５）
隣接する二つの前記第一サポートリブ板（５）及び／又は隣接する二つの第二サポートリブ板（６）の間に補強リブ板（１３）が設けられ、前記補強リブ板（１３）は１〜５個ある、
ことを特徴とする付記１に記載の鋼管サポートフレーム。
【００５９】
（付記６）
前記補強リブ板（１３）と前記第一凹陥部（７）の底面、第二凹陥部（８）の底面との間に連通口（１８）を備え、前記連通口（１８）は前記補強リブ板（１３）上に設けられて且つその底面と連通する開口部又は前記補強リブ板（１３）と前記第一凹陥部（７）の底面、第二凹陥部（８）の底面との間の間隙である、
ことを特徴とする付記５に記載の鋼管サポートフレーム。
【００６０】
（付記７）
前記第一サポートリブ板（５）及び／又は前記第二サポートリブ板（６）に多数の凸起リブ板（１６）が設けられ、前記凸起リブ板（１６）の横断面は長方形又は等脚台形又はアーク形状である、
ことを特徴とする付記１〜６のいずれか１つに記載の鋼管サポートフレーム。
【００６１】
（付記８）
前記第一サポートリブ板（５）の前記第二サポートリブ板（６）に接近する端部に前記鋼管収容凹溝（３）の底面と交差する第一段差面（９）が設けられ、前記第二サポートリブ板（６）の前記第一サポートリブ板（５）に接近する端部に前記鋼管収容凹溝（３）の底面と交差する第二段差面（１０）が設けられる、
ことを特徴とする付記１〜６のいずれか１つに記載の鋼管サポートフレーム。
【００６２】
（付記９）
前記鋼管収容凹溝（３）の底面に少なくとも一つの軸方向貫通の凹溝（１５）が設けられる、
ことを特徴とする付記１〜６のいずれか１つに記載の鋼管サポートフレーム。
【００６３】
（付記１０）
前記鋼管サポートフレームは遷移インサート（１７）をさらに備え、前記遷移インサート（１７）はインサート（１７０１）、前記インサート（１７０１）上に設けられる円弧溝（１７０２）、前記インサート（１７０１）上に設けられる前記第一凹陥部（７）、第二凹陥部（８）と嵌め合う第一ストッパー（１７０３）、第二ストッパー（１７０４）及び前記インサート（１７０１）の端部に設けられて前記間隔ユニット（４）と接触する端部押え板（１７０５）を備える、
ことを特徴とする付記１〜６のいずれか１つに記載の鋼管サポートフレーム。
【００６４】
（付記１１）
下から上へ順次に平行に配列する付記１〜１０のいずれか１つに記載の多数の鋼管サポートフレーム及び前記多数の鋼管サポートフレームの両端に設定され且つ前記多数の鋼管サポートフレームを接続する二つの垂直接続機構（２）を備える、
ことを特徴とする鋼管サポート装置。
【００６５】
（付記１２）
前記垂直接続機構（２）はタイバー（２０１）、一番上の前記鋼管サポートフレーム上に設けられる上接続板（２０８）、前記上接続板（２０８）上に設けられるタイバー通過孔（２０２）、一番下の前記鋼管サポートフレーム上に設けられる下接続板（２０９）、前記下接続板（２０９）上に設けられる下側タイバースロット（２１０）、他の前記鋼管サポートフレーム上に設けられる中間接続ブロック（２１１）、前記中間接続ブロック（２１１）上に設けられる中間タイバースロット（２１２）、前記タイバー（２０１）の上端に設けられるねじ部（２０３）、前記ねじ部（２０３）上に螺合する締結ナット（２０４）、前記タイバー（２０１）の下端に設けられて前記タイバー（２０１）が前記下側タイバースロット（２１０）中から垂直に脱出することを防止するための脱出防止部（２０５）及び前記脱出防止部（２０５）が外へ向けて横滑り出すことを防止するための側方止め板（２０６）を備える、
ことを特徴とする付記１１に記載の鋼管サポート装置。
【００６６】
（付記１３）
前記タイバー（２０１）と前記脱出防止部（２０５）との間に前記中間タイバースロット（２１２）と嵌め合って前記タイバー（２０１）の回転を防止するための回転防止（２０７）が設けられ、前記回転防止（２０７）に前記中間タイバースロット（２１２）と嵌め合う二つの回り止め横が設けられ、前記脱出防止部（２０５）と前記下接続板底部との間に一対の互いに嵌め合う位置決め平面が設けられ、前記タイバー（２０１）、前記脱出防止部（２０５）及び回転防止（２０７）は一体成形又は一体に溶接される、
ことを特徴とする付記１２に記載の鋼管サポート装置。
【図１】
0006553209.tif 000002
【図２】
0006553209.tif 000003
【図３】
0006553209.tif 000004
【図４】
0006553209.tif 000005
【図５】
0006553209.tif 000006
【図６】
0006553209.tif 000007
【図７】
0006553209.tif 000008
【図８】
0006553209.tif 000009
【図９】
0006553209.tif 000010
【図１０】
0006553209.tif 000011
【図１１】
0006553209.tif 000012
【図１２】
0006553209.tif 000013
【図１３】
0006553209.tif 000014
【図１４】
0006553209.tif 000015